(57)【要約】【課題】ＪＡＭ処理を容易に行うことを可能にする。【解決手段】排紙搬送路１４２と、排紙搬送路１４２の分岐点１４２ａから分岐する湾曲した第１搬送路２１と、第１搬送路２１から更に分岐して排紙搬送路１４２の分岐点１４２ａよりも下流側に合流する第２搬送路２２と、これら排紙搬送路１４２、第１搬送路２１及び第２搬送路２２で囲まれていて画像形成装置本体から分離可能な第１ユニット１と、第１搬送路２１の少なくとも一部を挟んで第１ユニット１と分離可能であって、かつ画像形成装置本体に対しても分離可能に設けられた第２ユニット２と、第１ユニット１及び第２ユニット２が搭載されて前側に引出し可能に設けられたスライド部材４とを備え、第２ユニット２がスライド部材４に固定され、第１ユニット１がスライド部材４を前側に引き出した状態で第２ユニット２に対して離隔させるべくスライド部材４に水平軸回りへ揺動可能に支持されている。【選択図】図２
2009282276.tif 000002
【特許請求の範囲】
【請求項１】
定着部及び排出部を有する画像形成装置本体と、
前記定着部から前記排出部へ用紙を搬送する排紙搬送路と、
前記排紙搬送路の分岐点から分岐する湾曲した第１搬送路と、
前記第１搬送路から更に分岐して前記排紙搬送路の前記分岐点よりも下流側に合流する第２搬送路と、
これら排紙搬送路、第１搬送路及び第２搬送路で囲まれていて画像形成装置本体から分離可能な第１ユニットと、
前記第１搬送路の少なくとも一部を挟んで第１ユニットと分離可能であって、かつ画像形成装置本体に対しても分離可能に設けられた第２ユニットと、
前記第１ユニット及び前記第２ユニットが搭載されて前側に引出し可能に設けられたスライド部材とを備え、
前記第２ユニットがスライド部材に固定され、前記第１ユニットがスライド部材を前側に引き出した状態で前記第２ユニットに対して離隔させるべくスライド部材に水平軸回りへ揺動可能に支持されていることを特徴とする画像形成装置。
【請求項２】
請求項１に記載の画像形成装置において、
前記定着部の上流側には画像形成部と前記画像形成部に用紙を搬送する給紙搬送路とを備えており、
前記第２ユニットには、前記第１搬送路にて送られてきた用紙を前記第２搬送路へ先後逆にして供給するスイッチバック部と、前記第２搬送路の途中から分岐して前記給紙搬送路に合流し、かつ前記スイッチバック部により先後逆にされた用紙を表裏反転して前記給紙搬送路に戻す両面搬送路とが設けられていることを特徴とする画像形成装置。
【請求項３】
請求項２に記載の画像形成装置において、
前記第１ユニットは、前記第２ユニットに対して揺動することで前記第１搬送路から離隔されるように構成されていることを特徴とする画像形成装置。
【請求項４】
請求項３に記載の画像形成装置において、
前記第２ユニットには第２搬送路に露出する搬送ローラが設けられ、前記第１ユニットには前記搬送ローラとニップする対向ローラが設けられていることを特徴とする画像形成装置。
【請求項５】
請求項１乃至４のいずれか１つに記載の画像形成装置において、
前記第２搬送路の少なくとも一部を挟んで前記第１ユニットと分離可能に設けられた別のユニットが画像形成装置本体に残されていることを特徴とする画像形成装置。
【発明の詳細な説明】
【技術分野】
【０００１】
本発明は、定着部から排出部へ用紙を搬送する排紙搬送路の途中から分岐し、画像形成された用紙を表裏反転するための搬送路を有する画像形成装置に関する。
【背景技術】
【０００２】
上述した画像形成装置として、定着部から排出部へ用紙を搬送する排紙搬送路の途中から分岐した分岐搬送路と、排紙搬送路と分岐搬送路との分岐点に設けられた搬送路切換器と、前記分岐搬送路の先に繋がった反転搬送路とを有する構成のものが知られている（例えば、特許文献１、２等参照）。
【０００３】
特許文献１の画像形成装置にあっては、定着部で定着された用紙を排紙搬送路により直接排出部へ排出すること、或いは、定着部で定着された用紙を搬送路切換器により排紙搬送路から分岐搬送路へ送り、反転搬送路によりそれまで用紙の後端であった側を先端として逆送りして前記排出部から排出することが、選択的に行い得るようになっている。
【０００４】
そして、この画像形成装置の分岐搬送路や反転搬送路で、紙詰まり（ＪＡＭ）が発生した場合に対処するべく、分岐搬送路を挟んで排出部側にある部分を外方に倒して開口させ、その開口した部分から、反転搬送路の水平部分を構成する下板部材を引出すようにして、詰まった紙を取り出すＪＡＭ処理を行っている。
【０００５】
また、特許文献２の画像形成装置にあっては、定着部、分岐搬送路および反転搬送路が設けられた搬送ユニットと、両面コピーを施すべく分岐搬送路を経た用紙を定着部よりも上流側の画像形成部へ再度送るための両面搬送路を有する両面印刷ユニットとが設けられており、ＪＡＭが発生した場合に対処すべく、搬送ユニットと両面印刷ユニットのそれぞれは独立に引き出し可能な構成になっている。
【特許文献１】特開平７−１３７８７９号公報
【特許文献２】特開２００５−２４９９２号公報
【発明の開示】
【発明が解決しようとする課題】
【０００６】
ところで、用紙を反転させる方式として、各部の配置を考慮して種々のものが存在し、その１つに、定着部から排出部へ用紙を搬送する排紙搬送路の途中の分岐点から分岐する湾曲した第１搬送路と、この第１搬送路から更に分岐して前記排紙搬送路の前記分岐点よりも下流側に合流する第２搬送路を有するものがある。
【０００７】
このような搬送路において紙詰まり発生に対処するためには、排出部に近い第２搬送路を挟む排出部側のユニットを外方に開き、更に、排出部から遠い第１搬送路を挟む排出部側のユニットを外方に開くこと、つまり２つのユニットを同じ方向側へ倒して開くことが考えられる。
【０００８】
しかしながら、同じ側に２つのユニットを倒して第２搬送路と第１搬送路を見えるようにした場合には、画像形成装置の内側にある第１搬送路側ユニットを倒し得る角度が狭くなり、詰まった紙の取り出しが困難になるという難点があった。特に、用紙の搬送抵抗を軽減するために、第１、第２搬送路をその曲率半径が大きくなるように設計した場合には、第１、第２搬送路の上端部や下端部が画像形成装置の内奥側に寄るため、そのような箇所で紙詰まりが起こると、ＪＡＭ処理が困難になる。
【０００９】
また、第２搬送路から更に分岐して、再度画像形成部へ用紙を戻すための両面搬送路が備えられていて、搬送ユニットと両面印刷ユニットのそれぞれが独立に引き出し可能な構成になっている場合には、第１搬送路と両面搬送路との境界近傍において紙詰まりが起きると、ＪＡＭ処理の際に用紙が破損するという問題があった。
【００１０】
本発明は、このような従来技術の課題を解決するためになされたもので、定着部から排出部へ用紙を搬送する排紙搬送路の分岐点から分岐する湾曲した第１搬送路と、この第１搬送路から更に分岐して排紙搬送路の分岐点よりも下流側に合流する第２搬送路とを有する構成であっても、ＪＡＭ処理を容易に行うことが可能な画像形成装置を提供することを目的とする。
【００１１】
また、本発明の他の目的は、第１搬送路及び第２搬送路の他に、第２搬送路から分岐した両面搬送路を有する構成であっても、ＪＡＭ処理を容易に行うことが可能な画像形成装置を提供することである。
【課題を解決するための手段】
【００１２】
本発明の画像形成装置は、定着部及び排出部を有する画像形成装置本体と、前記定着部から前記排出部へ用紙を搬送する排紙搬送路と、前記排紙搬送路の分岐点から分岐する湾曲した第１搬送路と、前記第１搬送路から更に分岐して前記排紙搬送路の前記分岐点よりも下流側に合流する第２搬送路と、これら排紙搬送路、第１搬送路及び第２搬送路で囲まれていて画像形成装置本体から分離可能な第１ユニットと、前記第１搬送路の少なくとも一部を挟んで第１ユニットと分離可能であって、かつ画像形成装置本体に対しても分離可能に設けられた第２ユニットと、前記第１ユニット及び前記第２ユニットが搭載されて前側に引出し可能に設けられたスライド部材とを備え、前記第２ユニットがスライド部材に固定され、前記第１ユニットがスライド部材を前側に引き出した状態で前記第２ユニットに対して離隔させるべくスライド部材に水平軸回りへ揺動可能に支持されていることを特徴とする。
【００１３】
本発明の請求項２に係る画像形成装置は、請求項１に記載の画像形成装置において、前記定着部の上流側には画像形成部と前記画像形成部に用紙を搬送する給紙搬送路とを備えており、前記第２ユニットには、前記第１搬送路にて送られてきた用紙を前記第２搬送路へ先後逆にして供給するスイッチバック部と、前記第２搬送路の途中から分岐して前記給紙搬送路に合流し、かつ前記スイッチバック部により先後逆にされた用紙を表裏反転して前記給紙搬送路に戻す両面搬送路とが設けられていることを特徴とする。
【００１４】
本発明の請求項３に係る画像形成装置は、請求項２に記載の画像形成装置において、前記第１ユニットは、前記第２ユニットに対して揺動することで前記第１搬送路から離隔されるように構成されていることを特徴とする。
【００１５】
本発明の請求項４に係る画像形成装置は、請求項３に記載の画像形成装置において、前記第２ユニットには第２搬送路に露出する搬送ローラが設けられ、前記第１ユニットには前記搬送ローラとニップする対向ローラが設けられていることを特徴とする。
【００１６】
本発明の請求項５に係る画像形成装置は、請求項１乃至４のいずれか１つに記載の画像形成装置において、前記第２搬送路の少なくとも一部を挟んで前記第１ユニットと分離可能に設けられた別のユニットが画像形成装置本体に残されていることを特徴とする。
【発明の効果】
【００１７】
本発明にあっては、第２搬送路で紙詰まりが発生した場合には、スライド部材を前側に引出せば、紙詰まりの紙を取り出すことができる。また、第１搬送路で紙詰まりが発生した場合には、スライド部材を前側に引出し、第１ユニットを第２ユニットから離れるように揺動させることで、第１ユニットを第２ユニットに対して大きな角度で倒すことができるので、ＪＡＭ処理を容易に行うことができる。特に、第１搬送路および第２搬送路の曲率半径Ｒを大きくした場合にあっても、スライド部材を前側に引出すことで、第１ユニットを第２ユニットに対して大きな角度で倒すことができるので、第１、第２搬送路のどちらでの紙詰まりに対してもＪＡＭ処理を容易に行うことができる。
【００１８】
また、請求項２のように、第２ユニットに、片面に画像が形成された用紙を再度画像形成部へ戻すための両面搬送路を設けておくことにより、第１ユニットおよび第２ユニットが一体で引き出し可能であるために、両面搬送路で紙詰まりが発生しても用紙を破断することなくＪＡＭ処理を容易に行うことができる。
【００１９】
また、請求項３のように、第１、第２ユニットを引出すと第２搬送路を露出させ得、更に第１ユニットを第２ユニットに対して揺動させると第１ユニットが第１搬送路から離隔されるため、両面印刷ユニットを備えた構成においても第１、第２搬送路のどちらでの紙詰まりに対してもＪＡＭ処理を容易に行うことができる。
【００２０】
また、請求項４のように、第２ユニットには第２搬送路に露出する搬送ローラが設けられ、第１ユニットには前記搬送ローラとニップする対向ローラが設けられているため、第１ユニットの揺動により対向ローラが搬送ローラから退避する。このため、両面搬送路の入口近傍での紙詰まりに対してもＪＡＭ処理を容易に行うことができる。
【００２１】
また、請求項５のように、第２搬送路の少なくとも一部を挟んで第１ユニットと分離可能に設けられた別のユニットが画像形成装置本体に残されていると、第２搬送路で紙詰まりした紙が、スライド部材を前側に引出せば、第１ユニット側または画像形成装置本体に表れるので、容易に紙詰まり箇所を特定でき、かつ詰まった紙の取り出しを容易に行うことが可能となる。
【発明を実施するための最良の形態】
【００２２】
以下に、本発明を具体的に説明する。
【００２３】
図１は、本発明の実施形態による複写機の全体構成を示した正面断面図である。まず、図１を参照して、複写機１０の全体構成について説明する。なお、本実施形態では、画像形成装置として複写機１０を例に挙げて説明する。
【００２４】
複写機１０は、コピー動作を行うに際し、装置本体１９内の画像形成部１１において、帯電ユニット１１１により図中の矢印方向（時計方向）に回転する感光体ドラム１１２が一様に帯電され、原稿読取部１２で読み取られた原稿画像データに基づく露光ユニット１３からのレーザビームにより感光体ドラム１１２上に静電潜像が形成され、現像装置１１３により静電潜像に現像剤（以下、トナーという）が付着されてトナー像が形成される。この現像装置１１３へのトナーの供給はトナーコンテナ１１４から行われる。
【００２５】
そして、トナー像が形成された感光体ドラム１１２に向けて、用紙Ｐが用紙給送部１７から複数の搬送ローラ対１４１を備えた給紙搬送路１４を経由して画像形成部１１に搬送され、この画像形成部１１において転写ベルト１５により感光体ドラム１１２の表面におけるトナー像が用紙Ｐに転写される。そして、トナー像が転写された用紙Ｐは感光体ドラム１１２から分離され、内部にハロゲンランプ等の加熱源が設けられた定着ローラ１６１および周面が当該定着ローラ１６１の周面に押圧当接される加圧ローラ１６２を備えた定着装置１６に搬送され、ここで加熱によるトナー像の定着処理が施される。
【００２６】
感光体ドラム１１２の周面における帯電ユニット１１１の上流側にはクリーニング装置１１５が設けられ、転写処理後の感光体ドラム１１２の周面に残留しているトナーがこのクリーニング装置１１５によって掻き落される。また、感光体ドラム１１２の周面におけるクリーニング装置１１５の下流側と前記帯電ユニット１１１との間には除電装置１１６が設けられ、この除電装置１１６によって感光体ドラム１１２周面の残留電荷が除電される。
【００２７】
定着部としての定着装置１６を通過した用紙Ｐは、直ちに排出部としての排紙トレイ１８に排出されるか、あるいはスイッチバック部（用紙反転装置）３０Ａに送られて表裏が反転された後に排紙トレイ１８に排出されるか、あるいは上記スイッチバック部３０Ａに送られて表裏が反転され、再度画像形成部１１に戻されて両面コピーされ、定着装置１６で定着処理が施された後に排紙トレイ１８へ排出される。
【００２８】
詳細には、定着装置１６から排紙トレイ１８へ至る排紙搬送路１４２の途中に下方のスイッチバック部３０Ａへ向かう、大きい曲率半径で湾曲した第１搬送路としての分岐搬送路２１が設けられている。この分岐搬送路２１の最上流位置には、所定の水平軸回りに回動可能な切換ガイド１４４が設けられている。定着装置１６から送り出された用紙Ｐは、片面印刷のみで印刷面が表となるように排紙を行うときには、切換ガイド１４４によって排紙搬送路１４２を通って排出ローラ１４３により排紙トレイ１８へ排紙される。一方、用紙Ｐが片面印刷のみで印刷面が裏となるように排紙を行うときや、用紙Ｐが両面印刷されるものであるときは、切換ガイド１４４によって下方に誘導されて分岐搬送路２１へ案内され、スイッチバック部３０Ａへ送り込まれる。
【００２９】
前記用紙給送部１７は、用紙Ｐを貯留する複数の用紙カートリッジ１７１と、用紙カートリッジ１７１に貯留された用紙束から最上位の用紙Ｐを繰り出し、給紙搬送路１４を介して画像形成部１１へ送り込むためのピックアップローラ１７３とを備えている。用紙カートリッジ１７１は、装置本体１９に対して着脱自在とされ、用紙Ｐが消費されて空になると装置本体１９から引き出されて新たに用紙Ｐが補給され、装置本体１９に押し込まれる。
【００３０】
次に、上記スイッチバック部３０Ａについて詳細に説明する。
【００３１】
スイッチバック部３０Ａは、図１および図２に示すように、水平に延びる用紙引込み部３１と、この用紙引込み部３１に設けられ、順逆両方向に回転して用紙引込み部３１に対して用紙Ｐを引き込みあるいは送り出す反転ローラ対（搬送手段）３２とを有している。
【００３２】
前記反転ローラ対３２は、用紙引込み部３１の入口付近に設けられており、用紙Ｐに接触した状態で順回転して当該用紙Ｐを用紙引込み部３１内に引き込む一方、用紙Ｐに接触した状態で逆回転して当該用紙Ｐを用紙引込み部３１から送り出すように構成されている。
【００３３】
この反転ローラ対３２は、前後方向に延びた従動ローラと、下部でこの従動ローラに対向配置された前後方向に延びた駆動ローラとからなっている。駆動ローラは、順逆両方向に回転駆動するように構成されており、当該駆動ローラの両方向の回転に伴って、従動ローラも順逆両方向に回転して用紙Ｐを順方向（右方向）あるいは逆方向（左方向）に搬送するようになっている。
【００３４】
また、スイッチバック部３０Ａには、排紙搬送路１４２の途中の分岐点１４２ａから分岐して用紙引込み部３１に連結され、反転前の用紙Ｐが通る分岐搬送路２１と、この分岐搬送路２１の途中の分岐点２１ａから更に分岐して、排紙搬送路１４２の分岐点１４２ａよりも下流側の合流点１４２ｂで合流し、反転後の用紙Ｐが通る第２搬送路としての反転排紙搬送路２２と、この反転排紙搬送路２２の途中の分岐点２２ａから更に分岐し、用紙Ｐを再度感光体ドラム１１２へ戻して両面コピーを施すための両面搬送路２３とが設けられている。
【００３５】
分岐搬送路２１は、切替えガイド１４４から排出トレイ１８側に大きく膨らように湾曲し、曲率半径が大きいもので、用紙引込み部３１に連結される態様となっている。
【００３６】
そして、反転排紙搬送路２２と両面搬送路２３とが分岐する分岐点２２ａの近傍には切換ガイド７０が設けられている。また切換ガイド７０の上流において、反転排紙搬送路２２に露出して第２ユニット２に設けられた搬送ローラ３３ａと、搬送ローラ３３ａに対してニップする対向ローラ３３ｂが第１ユニットに設けられている。
【００３７】
上記切換ガイド７０の切換動作により、反転ローラ対３２の逆回転にて用紙引込み部３１から用紙Ｐがスイッチバックされ、更に搬送ローラ３３ａ及び対向ローラ３３ｂにより反転排紙搬送路２２または両面搬送路２３のいずれか一方に送り出される。反転排紙搬送路２２に送り出された用紙Ｐは、排紙搬送路１４２のみを通って排出トレイ１８へ排出された用紙Ｐとは、表裏逆になって排出される。
【００３８】
一方、両面搬送路２３へ送り出された用紙Ｐは、ローラ対２３ａ、２３ｂ、２３ｃを順に経て給紙搬送路１４に合流し、再度給紙搬送路１４により送られて、感光体ドラム１１２によって両面コピーが施され、定着装置１６にて定着された後、排紙搬送路１４２のみを通って排出ローラ１４３により排出トレイ１８へ排出される。
【００３９】
このように搬送される用紙Ｐの紙詰まり対策として、本実施形態の画像形成装置においては、下記のような構成を採用している。
【００４０】
図２は、その構成を拡大して示す正面図である。
【００４１】
即ち、図１及び図２に示すように、排紙搬送路１４２、分岐搬送路（第１搬送路）２１及び反転排紙搬送路（第２搬送路）２２で囲まれている第１ユニット１が画像形成装置本体１９から分離可能に設けられている。また、分岐搬送路２１の少なくとも一部を挟んで第１ユニット１と分離可能に設けられた第２ユニット２が、画像形成装置本体１９に対しても分離可能に設けられている。なお、第２ユニット２は、本実施形態では排紙搬送路１４２の分岐点１４２ａよりも上流側から前記合流点１４２ｂまでの部分と、切換ガイド１４４と、切換ガイド７０と、搬送ローラ３３ａと、両面搬送路２３と、ローラ対２３ａ、２３ｂ、２３ｃなどとを含むものである。
【００４２】
そして、これら２つの第１ユニット１及び第２ユニット２は、図３に示すように前側へ引出し可能に設けられたスライド部材４の上に搭載されており、第２ユニット２はスライド部材４に固定されていて、第１ユニット１はスライド部材４に設けられた水平軸７に揺動可能に支持されている。
【００４３】
図３（ａ）は、スライド部材４を引き出す前の状態を示す斜視図で、同（ｂ）は引き出した状態を示す斜視図であり、図４は第１ユニット１を水平軸７の回りに揺動させた状態を示す斜視図である。また、図５は、図３（ａ）のＶ−Ｖ線による断面図で、スライド部材４を引き出す前の状態であって第１ユニット１の近傍部分を示す。図６は図３（ｂ）のＶＩ−ＶＩ線による断面図で、スライド部材４を介して引き出した第１ユニット１及び第２ユニット２を示す正面断面図である。更に、図７は、図４のＶＩＩ−ＶＩＩ線による断面図で、引き出した第１ユニット１を第２ユニット２に対して揺動させた状態を示す正面断面図である。なお、図３及び図４は、排出トレイ１８を省略するとともに、画像形成装置本体１９における第１ユニット１及び第２ユニット２の前側の開閉扉を省略して表している。
【００４４】
スライド機構は、スライド部材４の左側に設けたスライド手段５と、スライド部材４の右側に設けたスライド手段６とを備える（図３及び図４参照）。スライド手段５は、画像形成装置本体１９に固定される固定部５ａと、スライド部材４に固定されるスライド部５ｃと、固定部５ａとスライド部５ｃとの間に設けられた中間スライド部５ｂとを備え、スライド部５ｃを前側に引き出したとき、中間スライド部５ｂがスライド部５ｃの引出し距離の約半分だけ前側にスライドするように構成された公知のものである。この構成は、右側のスライド手段６も同様で、スライド手段５とは左右対称にして設けられている。
【００４５】
また、排出ローラ１４３を含むとともに反転排紙搬送路２２の少なくとも一部を挟んだ、別のユニットとしての第３ユニット３は、前記第１ユニット１とは分離可能に設けられていて、スライド部材４を前側にスライドさせても画像形成装置本体１９に残るようになっている。
【００４６】
このように構成された本実施形態に係る画像形成装置による場合のＪＡＭ処理内容について説明する。
【００４７】
コピー中にＪＡＭが発生し、その発生箇所が反転排紙搬送路２２の場合には、図示を省略した第１ユニット１及び第２ユニット２の前側の開閉扉を開け、スライド部材４を前側に引き出す。これにより第１ユニット１が、図３（ｂ）に示すように画像形成装置本体１９よりも前側に突出する。よって、反転排紙搬送路２２の第１ユニット１側に用紙Ｐが詰まっている場合は勿論のこと、反転排紙搬送路２２の画像形成装置本体１９側に用紙Ｐが詰まっていても、第３ユニット３が画像形成装置本体１９に残るので、その詰まった用紙Ｐを視認でき、容易にＪＡＭ処理を行うことができる。このことは、反転排紙搬送路２２の曲率半径が大きくなるように反転排紙搬送路２２を湾曲させた場合にあっても同様である。
【００４８】
一方、ＪＡＭの発生箇所が分岐搬送路２１の場合には、図示を省略した第１ユニット１及び第２ユニット２の前側の開閉扉を開けてスライド部材４を前側に引き出し、図４に示すように第１ユニット１を上側が第２ユニット２から離れるように水平軸７の回りを揺動させる。これにより、第１ユニット１が図６に示す状態から図７に示す状態へと変化して、第１ユニット１を第２ユニット２に対して大きな角度で倒すことができるので、第２ユニット２の左方が大きく開口する。よって、分岐搬送路２１の曲率半径が大きくなるように分岐搬送路２１を湾曲させた場合に、分岐搬送路２１の上端部２１ｂや下端部２１ｃが内奥側にあっても、大きく開口した部分から詰まった用紙Ｐの視認と取り出しを容易に行うことができる。
【００４９】
また、本実施形態において、第２ユニット２に両面搬送路２３を設けているので、第１ユニット１および第２ユニット２が一体で引き出し可能であるために、両面搬送路２３で紙詰まりが発生しても用紙Ｐを破断することなくＪＡＭ処理を容易に行うことができる。
【００５０】
更に、本実施形態において、第１ユニット１、第２ユニット２を引出すと反転排紙搬送路（第２搬送路）２２を露出させ得、更に第１ユニット１を第２ユニット２に対して揺動させると第１ユニット１が分岐搬送路（第１搬送路）２１から離隔されるため、両面印刷ユニットを備えた構成においても分岐搬送路（第１搬送路）２１、反転排紙搬送路（第２搬送路）２２のどちらでの紙詰まりに対してもＪＡＭ処理を容易に行うことができる。
【００５１】
更にまた、本実施形態において、第２ユニット２には反転排紙搬送路（第２搬送路）２２に露出する搬送ローラ３３ａが設けられ、第１ユニット１には前記搬送ローラ３３ａとニップする対向ローラ３３ｂが設けられているため、第１ユニット１の揺動により対向ローラ３３ｂが搬送ローラ３３ａから退避する。このため、両面搬送路２３の入口近傍、つまり分岐点２２ａの近傍での紙詰まりに対してもＪＡＭ処理を容易に行うことができる。
【００５２】
なお、上述した実施形態では分岐搬送路２１の途中の分岐点２１ａから反転排紙搬送路２２を分岐した構成のものに適用しているが、本発明はこれに限らず、分岐搬送路２１から反転排紙搬送路２２が分岐する位置が、分岐搬送路２１の最下流位置であっても同様に適用することができる。
【００５３】
また、上述した実施形態では第１ユニット１が排紙搬送路１４２を全く含まない構成となっているが、本発明はこれに限らず、第１ユニット１が排紙搬送路１４２の一部を含む構成となっていても同様に適用することが可能である。
【００５４】
更に、上述した実施形態では複写機に本発明を適用しているが、本発明はこれに限らず、複写機以外の他の画像形成装置、例えばファクシミリやプリンタ、或いはこれらの複合機などにも同様に適用することが可能である。
【図面の簡単な説明】
【００５５】
【図１】本発明の実施形態による複写機の全体構成を示した正面断面図である。
【図２】本発明の要部の構成を拡大して示す正面図である。
【図３】（ａ）は、スライド部材を引き出す前の状態を示す斜視図で、（ｂ）は引き出した状態を示す斜視図である。
【図４】第１ユニットを水平軸の回りに揺動させた状態を示す斜視図である。
【図５】図３（ａ）のＶ−Ｖ線による断面図で、スライド部材を引き出す前の状態であって第１ユニットの近傍部分を示す。
【図６】図３（ｂ）のＶＩ−ＶＩ線による断面図で、スライド部材を介して引き出した第１ユニット及び第２ユニットを示す正面断面図である。
【図７】図４のＶＩＩ−ＶＩＩ線による断面図で、引き出した第１ユニットを第２ユニットに対して揺動させた状態を示す正面断面図である。
【符号の説明】
【００５６】
１    第１ユニット
２    第２ユニット
３    第３ユニット
４    スライド部材
７    水平軸
１０    複写機（画像形成装置）
１６    定着装置（定着部）
１８    排紙トレイ（排出部）
１９    装置本体
２１    分岐搬送路（第１搬送路）
２２    反転排紙搬送路（第２搬送路）
１４２    排紙搬送路
１４２ａ    分岐点
Ｐ    用紙
【図１】
2009282276.tif 000003
【図２】
2009282276.tif 000004
【図３】
2009282276.tif 000005
【図４】
2009282276.tif 000006
【図５】
2009282276.tif 000007
【図６】
2009282276.tif 000008
【図７】
2009282276.tif 000009